(57)【要約】【課題】シャツ本体の裏面を覆うメッシュ素材が、肩ヨーク、後身頃、左前身頃、右前身頃に縫着されるシャツにおいて、前記メッシュ素材を衿部に取り付けるにあたって改善・工夫がされたシャツ。【解決手段】後身頃、後身頃の左右に開閉可能に連設される左前身頃および右前身頃、首周りに設けられる衿部、衿部と後身頃との間に設けられる肩ヨーク、肩ヨークの左右の肩口に取付けられる長袖または半袖を有するシャツ本体と、シャツ本体の裏面を覆うメッシュ生地とにより構成され、メッシュ生地が、肩ヨーク、後身頃、左前身頃および右前身頃に縫着されているシャツ。前記衿部を構成する台衿の台衿表地と台衿裏地との間に第一の生地の一端側が介装されていて、当該第一の生地の一端側が前記台衿表地と台衿裏地とに縫着されていると共に、当該第一の生地の前記一端側に対向する他端側に前記メッシュ生地が縫着されている。【選択図】図１
0003175676.tif 000002
【実用新案登録請求の範囲】
【請求項１】
後身頃、前記後身頃の左右に開閉可能に連設される左前身頃および右前身頃、首周りに設けられる衿部、前記衿部と前記後身頃との間に設けられる肩ヨーク、および前記肩ヨークの左右の肩口に取付けられる長袖または半袖、を有するシャツ本体と、前記シャツ本体の裏面を覆うメッシュ生地と、により構成され、
前記メッシュ生地が、前記肩ヨーク、前記後身頃、前記左前身頃および前記右前身頃に縫着されているシャツにおいて、
前記衿部を構成する台衿の台衿表地と台衿裏地との間に第一の生地の一端側が介装されていて、当該第一の生地の一端側が前記台衿表地と台衿裏地とに縫着されていると共に、当該第一の生地の前記一端側に対向する他端側に前記メッシュ生地が縫着されている
ことを特徴とするシャツ。
【請求項２】
前記第一の生地の前記一端側に対応する一端側が、前記第一の生地の前記一端側と前記台衿裏地との間に介装されていると共に、前記第一の生地の前記他端側に対応する他端側が、前記メッシュ生地の前記第一の生地の前記他端側に縫着されている側と前記台衿裏地との間に介装されている第二の生地が更に備えられており、
前記第一の生地の前記一端側の前記台衿表地と前記台衿裏地とへの縫着は、
前記台衿表地と、前記台衿裏地との間に、前記第一の生地の前記一端側と、前記第二の生地の前記一端側とが積層されて介装され、
前記台衿表地、前記第一の生地の前記一端側、前記第二の生地の前記一端側、前記台衿裏地が縫着されているものである
ことを特徴とする請求項１記載のシャツ。
【請求項３】
前記第二の生地の前記他端側と、前記台衿裏地との間に前記肩ヨークの上縁側が介装され、前記第二の生地の他端側と、前記肩ヨークの上縁側と、前記台衿裏地とが縫着されている
ことを特徴とする請求項２記載のシャツ。
【考案の詳細な説明】
【技術分野】
【０００１】
本考案は、梅雨や夏場などの季節においても快適に身に着けることのできるシャツに関する。
【背景技術】
【０００２】
梅雨や夏場などの季節においても快適に身に着けることのできるシャツについては従来から種々の提案がされている。
【０００３】
例えば、特許文献１、２には、後身頃、前記後身頃の左右に開閉可能に連設される左前身頃および右前身頃、首周りに設けられる衿部、前記衿部と前記後身頃との間に設けられる肩ヨーク、および前記肩ヨークの左右の肩口に取付けられる袖を有するシャツ本体と、前記シャツ本体の裏面を覆う吸汗速乾スポーツアンダー素材あるいは、メッシュ素材とにより構成され、前記吸汗速乾スポーツアンダー素材あるいは前記メッシュ素材が、前記肩ヨーク、前記後身頃、前記左前身頃および前記右前身頃に縫着されているシャツが提案されている。
【先行技術文献】
【特許文献】
【０００４】
【特許文献１】特開２００４−２１１２４６号公報
【特許文献２】実用新案登録第３１４３２１１号公報
【考案の概要】
【考案が解決しようとする課題】
【０００５】
上記特許文献１、２記載の考案のように、梅雨や夏場などの季節においても快適に身に着け得ることを目的としたシャツが提案されているが、シャツ本体の裏面を覆い、肩ヨーク、後身頃、左前身頃、右前身頃に縫着されるメッシュ素材の衿部への取りつけに関しては改善する余地があった。
【０００６】
本考案は、シャツ本体の裏面を覆うメッシュ素材が、肩ヨーク、後身頃、左前身頃、右前身頃に縫着されるシャツにおいて、前記メッシュ素材を衿部に取り付けるにあたって改善・工夫がされたシャツを提案することを目的にしている。
【課題を解決するための手段】
【０００７】
前記課題を解決する請求項１記載の考案は、
後身頃、前記後身頃の左右に開閉可能に連設される左前身頃および右前身頃、首周りに設けられる衿部、前記衿部と前記後身頃との間に設けられる肩ヨーク、および前記肩ヨークの左右の肩口に取付けられる長袖または半袖、を有するシャツ本体と、前記シャツ本体の裏面を覆うメッシュ生地と、により構成され、
前記メッシュ生地が、前記肩ヨーク、前記後身頃、前記左前身頃および前記右前身頃に縫着されているシャツにおいて、
前記衿部を構成する台衿の台衿表地と台衿裏地との間に第一の生地の一端側が介装されていて、当該第一の生地の一端側が前記台衿表地と台衿裏地とに縫着されていると共に、当該第一の生地の前記一端側に対向する他端側に前記メッシュ生地が縫着されている
ことを特徴とするシャツ
である。
【０００８】
請求項２記載の考案は、
前記第一の生地の前記一端側に対応する一端側が、前記第一の生地の前記一端側と前記台衿裏地との間に介装されていると共に、前記第一の生地の前記他端側に対応する他端側が、前記メッシュ生地の前記第一の生地の前記他端側に縫着されている側と前記台衿裏地との間に介装されている第二の生地が更に備えられており、
前記第一の生地の前記一端側の前記台衿表地と前記台衿裏地とへの縫着は、
前記台衿表地と、前記台衿裏地との間に、前記第一の生地の前記一端側と、前記第二の生地の前記一端側とが積層されて介装され、
前記台衿表地、前記第一の生地の前記一端側、前記第二の生地の前記一端側、前記台衿裏地が縫着されているものである
ことを特徴とする請求項１記載のシャツ
である。
【０００９】
請求項３記載の考案は、
前記第二の生地の前記他端側と、前記台衿裏地との間に前記肩ヨークの上縁側が介装され、前記第二の生地の他端側と、前記肩ヨークの上縁側と、前記台衿裏地とが縫着されている
ことを特徴とする請求項２記載のシャツ
である。
【考案の効果】
【００１０】
本考案によれば、梅雨や夏場などの季節においても快適に身に着けることのできるシャツであって、シャツ本体の裏面を覆うメッシュ素材が、肩ヨーク、後身頃、左前身頃、右前身頃に縫着されるシャツにおいて、前記メッシュ素材を衿部に取り付けるにあたって改善・工夫がされたシャツを提供することができる。
【図面の簡単な説明】
【００１１】
【図１】本考案の一実施形態を表す図である。
【図２】本考案の一実施形態のシャツにおいて、左前身頃及び右前身頃を開いた状態を表す一部省略図である。
【図３】本考案の一実施形態のシャツにおいて、メッシュ素材の衿部への取り付け構造を表す一部を省略した拡大断面図である。
【考案を実施するための形態】
【００１２】
以下、添付図面を参照して本考案の一実施形態を説明する。
【００１３】
本実施形態でのシャツ（例えば、ドレスシャツ、Ｙシャツ、半袖シャツなど）は、後身頃４、後身頃４の左右に開閉可能に連設される左前身頃２および右前身頃３、首周りに設けられる衿部５、衿部５と後身頃４との間に設けられる肩ヨーク６、および肩ヨーク６の左右の肩口に取付けられる長袖または半袖の袖部７、７を有するシャツ本体１と、シャツ本体１の裏面を覆うメッシュ生地８とにより構成される。
【００１４】
図示の実施形態では袖部７として長袖が現されているが、半袖であってもかまわない。
【００１５】
図１図示のシャツでは、全体が首から胸、下腹部に到る着丈になっている。また、左前身頃２および右前身頃３におけるそれぞれの前立て９、９が釦１５ａと釦孔１５ｂ、または雄雌のスナップ（図示していない）よりなる係止具により係脱可能にし、左前身頃２、および右前身頃３の前立て９、９相互を開閉可能にするシャツ（例えば、ドレスシャツ、Ｙシャツ、半袖シャツなど）にすることができる。
【００１６】
シャツ本体１は、例えば、ポリエステル、ポリエチレンのような合成樹脂繊維糸、或いは綿糸、またはこれら合成樹脂繊維糸と、綿糸との混合により形成することができる。また、シャツ本体１には、適宜、図柄や色彩を付すことができる。
【００１７】
メッシュ生地８は、後身頃４、左前身頃２、右前身頃３、肩ヨーク６、袖部７、７の各形状に対応する形状部分からなる。図１図示の実施形態では、メッシュ生地８は、長袖になっている袖部７、７の途中までの長さの半袖状になっているが、袖部７、７が長袖である場合には、これに合わせて長袖にすることもできる。また、図には示さないが、メッシュ生地８が、例えば、後身頃４、左前身頃２、右前身頃３、肩ヨーク６の各形状に対応する形状部分からなる、袖無しに形成されているようにすることもできる。
【００１８】
本考案のシャツにおいては、メッシュ生地８が、肩ヨーク６、後身頃４、左前身頃２および右前身頃３に縫着されている。メッシュ生地８の、肩ヨーク６、後身頃４、左前身頃２および右前身頃３への縫着には特に制限がなく、従来公知の種々の逢着方法を使用できる。
【００１９】
メッシュ生地８は、ポリエステルのような合成樹脂繊維により形成することができる。また、メッシュ生地８も、シャツ本体１の用途に合わせて、シャツ本体１と調和し、マッチする図柄や色彩を付すことができる。
【００２０】
本考案のシャツにおいては、メッシュ生地８を衿部５に取り付ける部分が以下のようになっており、この点に特徴を有する。
【００２１】
図３に現しているように、衿部５を構成する台衿の台衿表地１０と台衿裏地１３との間に第一の生地１１の一端側（図３中の左側）が介装されていて、第一の生地１１の一端側が台衿表地１０と台衿裏地１３とに縫着されている。そして、第一の生地１１の前記一端側に対向する他端側（図３中の右側）にメッシュ生地８が縫着されている。
【００２２】
ここでは、更に、第二の生地１２が用いられており、この第二の生地１２は、図３図示のように、第一の生地１１の前記一端側に対応する一端側（図３中の左側）が、第一の生地１１の前記一端側と台衿裏地１３との間に介装されていると共に、第一の生地１１の前記他端側に対応する他端側（図３中の右側）が、メッシュ生地８の第一の生地１１の前記他端側に縫着されている側と台衿裏地１３との間に介装されている。
【００２３】
そして、前述した第一の生地１１の前記一端側の台衿表地１０と台衿裏地１３とへの縫着は、台衿表地１０と、台衿裏地１３との間に、第一の生地１１の前記一端側と、第二の生地１２の前記一端側とが積層されて介装され、台衿表地１０、第一の生地１１の前記一端側、第二の生地１２の前記一端側、台衿裏地１３が縫着されている構成になっている。
【００２４】
また、第二の生地１２の前記他端側と、台衿裏地１３との間に肩ヨーク６の上縁側が介装され、第二の生地１２の前記他端側と、肩ヨーク６の上縁側と、台衿裏地１３とが縫着されている。
【００２５】
本考案のシャツを着用すると、皮膚と、シャツ本体１を構成している後身頃４、左前身頃２、右前身頃３、肩ヨーク６との間には、後身頃４、左前身頃２、右前身頃３、肩ヨーク６、袖部７、７の各形状に対応する形状部分からなり、肩ヨーク６、後身頃４、左前身頃２および右前身頃３に縫着されているメッシュ生地８が介在することになる。
【００２６】
これにより、下着などを身に着けずに、素肌に本考案のシャツを羽織っても、ムレやベタつきが生じることはなく、爽快に着用することができ、梅雨や夏場などの季節においても快適に身に着けることができる。
【００２７】
以上、添付図面を参照して本考案の好ましい実施形態を説明したが、本考案はかかる実施形態に限定されるものではなく、実用新案登録請求の範囲の記載から把握される技術的範囲において種々の形態に変更可能である。
【符号の説明】
【００２８】
１  シャツ本体
２  左前身頃
３  右前身頃
４  後身頃
５  衿部
６  肩ヨーク
７  袖
８  メッシュ生地
９  前立て
１０  台衿表地
１１  第一の生地
１２  第二の生地
１３  台衿裏地
１５ａ  釦
１５ｂ  釦孔
【図１】
0003175676.tif 000003
【図２】
0003175676.tif 000004
【図３】
0003175676.tif 000005